(57)【要約】【課題】本発明の目的は、インパクトドライバ等の電動工具において、ビット等の先端工具の前方を照射するライトの照射領域を広げ、さらにライトの交換を容易にできる照明体の装着構造を提供することにある。【解決手段】ハンマケース部６４の周面下方位置に、先端工具保持部６６の前方および側方を照射するための照明体組立部６０を収納する照明体収納部６４ａをハンマケース部６４と一体に形成し、照明体収納部６４ａに、照明体組立部６０を収納する挿入穴６４ｂと、照明体組立部６０の係合部６１ｃに係合するスリット６４ｃとを形成し、照明体組立部６０を、照明体収納部６４ａの挿入穴６４ｂに収納し、かつ係合部６１ｃを照明体収納部６４ａのスリット６４ｃに係合させる。【選択図】図１
2008030126.tif 000002
【特許請求の範囲】
【請求項１】
一方向に延び、駆動源であるモータを収容する胴体ハウジング部と、
前記胴体ハウジング部の前方に設けられ、前記モータの駆動力を先端工具保持部に伝達する打撃機構部を収容するハンマケース部と、
前記胴体ハウジング部に連結され、前記胴体ハウジング部の延在方向に対し垂直方向または該垂直方向からある角度を持つ方向に延びるハンドルハウジング部と、
前記ハンマケース部の下方位置の前記ハンドルハウジング部に設けられ、前記モータへの電源供給を制御するトリガスイッチと、を有する電動工具であって、
前記ハンマケース部の周面下方位置に、前記先端工具保持部の前方および側方を照射するための照明体組立部を収納する照明体収納部を前記ハンマケース部と一体に形成し、
前記照明体収納部に、前記照明体組立部を収納する挿入穴と、前記照明体組立部の係合部に係合するスリットとを形成し、
前記照明体組立部を、前記照明体収納部の前記挿入穴に収納し、かつ前記係合部を前記照明体収納部の前記スリットに係合させたことを特徴とする電動工具。
【請求項２】
前記照明体収納部を、前記ハンマケース部を覆うカバーで被覆したことを特徴とする請求項１に記載された電動工具。
【請求項３】
前記カバーは、前記ハンマケース部の前記照明体収納部と嵌合する嵌合部を有することを特徴とする請求項１または請求項２に記載された電動工具。
【請求項４】
前記カバーは、前記挿入穴の挿入口において、前記挿入口に対応する穴より小さい穴を有することを特徴とする請求項３に記載された電動工具。
【請求項５】
前記カバーは、弾性材料から成ることを特徴とする請求項２乃至請求項４のいずれか一つに記載された電動工具。
【請求項６】
前記照明体組立部は、ライトと、前記ライトを包むライトカバーとから成り、前記ライトカバーの外周面が前記照明体収納部の挿入穴の内周面に接触するように挿入されることを特徴とする請求項１乃至請求項５のいずれか一つに記載された電動工具。
【請求項７】
一方向に延び駆動源であるモータを収容する胴体ハウジング部と、前記胴体ハウジング部の前方に設けられ、前記モータの駆動力を先端工具保持部に伝達する打撃機構部を収容する金属材料から成るハンマケース部とを有し、前記ハンマケース部の外側表面の一部に前記先端工具保持部の前方および側方を照射するための照明体組立部を取り付け、前記ハンマケースの前記外側表面および前記照明体組立部を覆うように弾性材料から成るカバーを設けたことを特徴とする電動工具。
【請求項８】
前記カバーは、前記ハンマケース部の前記外側表面および前記照明体組立部の取付部表面に嵌合されていることを特徴とする請求項７に記載された電動工具。
【発明の詳細な説明】
【技術分野】
【０００１】
本発明は、モータを収容する胴体ハウジング部と、モータの駆動力を先端工具保持部に伝達する打撃機構部を収容するハンマケース部とを有するインパクトドライバ等の電動工具に関し、特に、先端工具および締付け部材へ照射するライトを装着した電動工具に関する。
【背景技術】
【０００２】
モータを収容する胴体ハウジング部と、モータの駆動力を先端工具保持部に伝達する打撃機構部を収容するハンマケース部とを有するインパクトドライバ等の電動工具において、暗い場所での作業を支障なく、かつ安全に作業を行うために工具の前方を照射可能にしたＬＥＤ（発光素子）等のライト（照明体）を装着した電動工具が周知である。例えば、この電動工具は、下記特許文献１に例示されている。
【０００３】
この電動工具の照明体は、ハウジング部の前方あるいはハンマケース部の前方にＬＥＤ等のライトを含むライトユニットまたはライトアセンブリ（以下、「照明体組立部」と称する）として取付けられていた。
【０００４】
【特許文献１】特開２００３−２１１３７４号公報
【発明の開示】
【発明が解決しようとする課題】
【０００５】
しかしながら、従来の照明体組立部は、ハウジング部あるいはハンマケース部から突出した別個の部材として組み立てられ、その照明体組立部材を半割ハウジング部あるいは半割ハンマケース部の組立時にネジによって一緒に合体させたものであり、照明体組立部とハウジング部あるいはハンマケース部との組立が複雑となる。逆に、照明体組立部のＬＥＤ等の部品を交換する場合は、ハンマケース部のネジを取り外し、ハンマケース部と照明体組立部とを分解した後に、照明体組立部を取り外す必要があり保守面でも分解に手数がかかるという問題があった。
【０００６】
また、従来の照明体組立部は、ハウジングに形成されたトリガスイッチの上方でハンマケースの下方部分を覆う突出部に装着されているため、回転中心軸および工具本体の先端に照明体を近づけることが困難であった。そのため、照射領域を広くできずビスやビットの長さが変わった場合、照明範囲が限定されるという問題があった。
【０００７】
さらに、照明体組立部は、電動工具の作業現場での使用時もしくは電動工具の保管時において、電動工具の工作物への衝突、あるいは電動工具の落下等により予期せぬ衝撃を受ける場合が考えられるので、予期せぬ衝撃に基づく損傷を防止できる構造であることが望ましい。
【０００８】
従って、本発明の一つの目的は、照明体組立部の工具本体への装着が容易な照明体を有する電動工具を提供することにある。
【０００９】
本発明の他の目的は、先端工具前方への照射領域を広くすることが可能な照明体の取付け構造を有する電動工具を提供することにある。
【００１０】
本発明のさらに他の目的は、照明体組立部の損傷を防止できる保護カバーを有する電動工具を提供することにある。
【課題を解決するための手段】
【００１１】
上記目的を達成するために、本願において開示される発明のうち代表的なものの概要を説明すれば、以下のとおりである。
【００１２】
本発明の電動工具における一つの特徴によれば、一方向に延び、駆動源であるモータを収容する胴体ハウジング部と、前記胴体ハウジング部の前方に設けられ、前記モータの駆動力を先端工具保持部に伝達する打撃機構部を収容するハンマケース部と、前記胴体ハウジング部に連結され、前記胴体ハウジング部の延在方向に対し垂直方向または該垂直方向からある角度を持つ方向に延びるハンドルハウジング部と、前記ハンマケース部の下方位置の前記ハンドルハウジング部に設けられ、前記モータへの電源供給を制御するトリガスイッチとを有する電動工具であって、前記ハンマケース部の周面下方位置に、前記先端工具保持部の前方および側方を照射するための照明体組立部を収納する照明体収納部を前記ハンマケース部と一体に形成し、前記照明体収納部に、前記照明体組立部を収納する挿入穴と、前記照明体組立部の係合部に係合するスリットとを形成し、前記照明体組立部を、前記照明体収納部の前記挿入穴に収納し、かつ前記係合部を前記照明体収納部の前記スリットに係合させる。
【００１３】
本発明の電動工具における他の特徴によれば、前記照明体組立部を、前記ハンマケース部を覆うカバーで被覆する。
【００１４】
本発明の電動工具におけるさらに他の特徴によれば、前記カバーは、前記ハンマケース部の前記照明体収納部と嵌合する嵌合部を有する。
【００１５】
本発明の電動工具におけるさらに他の特徴によれば、前記カバーは、前記挿入穴の挿入口において、前記挿入口に対応する穴より小さい穴を有する。
【００１６】
本発明の電動工具におけるさらに他の特徴によれば、前記カバーは、弾性材料から成る。
【００１７】
本発明の電動工具におけるさらに他の特徴によれば、前記照明体組立部は、ライトと、前記ライトを包むライトカバーとから成り、前記ライトカバーの外周面が前記照明体収納部の挿入穴の内周面に接触するように挿入される。
【００１８】
本発明の電動工具におけるさらに他の特徴によれば、一方向に延び駆動源であるモータを収容する胴体ハウジング部と、前記胴体ハウジング部の前方に設けられ、前記モータの駆動力を先端工具保持部に伝達する打撃機構部を収容する金属材料から成るハンマケース部とを有し、前記ハンマケース部の外側表面の一部に前記先端工具保持部の前方および側方を照射するための照明体組立部を取り付け、前記ハンマケースの前記外側表面および前記照明体組立部を覆うように弾性材料から成るカバーを設ける。
【発明の効果】
【００１９】
本発明によれば、ハンマケース部の周面下方位置に、先端工具保持部の前方および側方を照射するための照明体組立部を収納する照明体収納部をハンマケース部と一体に形成し、照明体収納部に、照明体組立部を収納する挿入穴と、照明体組立部の係合部に係合するスリットとを形成し、照明体組立部を、照明体収納部の挿入穴に収納し、かつ係合部を照明体収納部のスリットに係合させるので、照明体組立部の工具本体への装着が容易となる。
【００２０】
ハンマケースに照明体収納部を一体形成し、その照明体収納部に、先端工具（電動工具）の前方および側方を照射可能な照明体を設けるので、モータの回転中心軸に照明体を近づけることができ、照射範囲をより広げることができる。これにより、先端工具によって締付けるビスの長さや、先端工具であるビットの長さが変わった場合においても工具本体の影を防止して広範囲の照射が可能となる。
【００２１】
照明体収納部を弾性体などのカバーで覆うことにより本体の振動、およびハンマケースの熱の影響を軽減することができる。
【００２２】
照明体収納部を覆うカバーにハンマケースと嵌合する嵌合部を設けるので、振動によるＬＥＤ等のライトの外れをより完全に防止することができる。
【００２３】
また、前記カバーを弾性材料によって構成することにより、電動工具の工作物への衝突等による予期せぬ衝撃を吸収し、照明体収納部または照明体組立部の損傷を防止することができる。
【００２４】
本発明の上記および他の目的、ならびに本発明の上記および他の特徴は、本明細書の以下の記述および添付図面からさらに明らかになるであろう。
【発明を実施するための最良の形態】
【００２５】
以下、本発明の実施の形態を図面に基づいて詳細に説明する。なお、実施の形態を説明するための全図において、同一の機能を有する部材には同一の符号を付し、その繰り返しの説明は省略する。
【００２６】
図１は本発明を適用したインパクトドライバの部分断面図（正面図）、図２は図１に示したインパクトドライバを構成するハンマケースの断面図、図３は図２に示したハンマケースの正面図、図４は図１に示したインパクトドライバを構成する照明体組立部の照明体保護部材の組立完成図で、（ａ）は左側面図、（ｂ）は正面図、（ｃ）は右側面図、図５は図４に示した照明体保護部材の断面図をそれぞれ示す。
【００２７】
最初に、工具全体の構成について説明する。
【００２８】
図１に示されるように、本発明の実施形態に従うインパクドライバ５１は、モータ５４の回転軸Ｘ方向（水平方向）に沿って延在する、ほぼ円筒形状を有する胴体ハウジング部５２と、胴体ハウジング部５２の延在方向（Ｘ方向）に対し垂直（鉛直）Ｙ方向または該垂直Ｙ方向からある角度θを持つＺ方向に連結されて延在するハンドルハウジング部５３と、打撃機構部を収容する、釣鐘形状のハンマケース部６４とを具備している。胴体ハウジング部５２は、ネジ（図示せず）によってハンマケース部６４に連結されている。胴体ハウジング部５２に連結してＺ方向に延設されたハンドルハウジング部５３の先端部には、図示されていないが、電池パック受納部が設けられ、電池パックが装着されている。
【００２９】
胴体ハウジング部５２には、胴体ハウジング部５２の延在Ｘ方向の左端部側から右端部側に沿って、直流モータ５４と、該直流モータ５４の出力軸であるピニオン５６ａと、ピニオン５６ａに係合する遊星ギア５６ｂを含む減速機構部５６とが収容されている。
【００３０】
ハンマケース部６４には、減速機構部５６からの回転力を伝達するスピンドル５７ａと、スピンドル５７ａの外周面に形成されたコイルバネ５７ｂと、コイルバネ５７ｂの作用によって打撃力が与えられるハンマ５７ｃとを含む打撃機構部５７が収容され、さらに打撃機構部５７の打撃力を受けて回転するアンビル５８が収容されている。アンビル５８の先端部には、ビットまたはドリル等の先端工具（図示なし）を着脱自在に取付るための先端工具保持部６６が設けられ、先端工具保持部６６にドリル等の所望の先端工具を挿入し装着することができる。ハンマケース部６４の外周面は、後述するように、ゴム等の弾性材料から成る保護カバー（プロテクタ）５９によって被覆されている。さらに、保護カバー５９の抜け止め防止として、ハンマケース部６４の先端部と嵌合するフロントキャップ６５が嵌め込まれている。
【００３１】
ハンマケース部６４の下方位置のハンドルハウジング部５３には、ハンドルハウジング部５３の下方先端部に装着される電池パック（図示なし）からモータ５４への電源供給を制御するトリガスイッチ５５が設けられている。トリガスイッチ５５のオン操作によってモータ５４を回転駆動させ、その回転動力を胴体ハウジング部５２内の上述した動力伝達部５６、５７および５８を介して、先端工具保持部６６に取付けられた先端工具に回転打撃力として伝達し、図示されない工作物に対しネジ等の締め具をネジ込むものである。
【００３２】
この構成において、本発明に従えば、ハンマケース部６４の周面下方位置に照明体収納部６４ａが、ハンマケース部６４部材と一体に設けられ、照明体収納部６４ａに、例えばＬＥＤ（発光素子）からなるライト（照明素子）６２を含む照明体組立部６０を装着する。照明体組立部６０のライト６２の光軸は、後述するように、ライト６２が先端工具保持部６６の前方および側方を照射できるように調整されている。また、ライト６２は、回転中心軸Ｘにできる限り近づける位置に収納されている。ライト６２は、トリガスイッチ５５のオン操作に同期して先端工具保持部６６の前方および側方を照射し、暗い作業場所での電動工具５１の使用を可能にする。
【００３３】
図１に示すように、本発明に従う照明体組立部６０は、後述するライトカバー（照明体保護部材）６１（図４参照）と、ＬＥＤ（発光素子）等で構成されたライト６２と、ライト６２をハンドルハウジング部５３内の電源回路へ電気的接続するリード線６３とから構成され、これら照明体組立部６０は、図２に示すように、ハンマケース部６４の周面下方位置に、ハンマケース部６４と一体に形成された照明体収納部（突設部）６４ａに収納される。
【００３４】
図２に示すように、照明体収納部６４ａには、ライト６２を含む照明体組立部６０を配置する挿入穴（ネスト）６４ｂが設けられている。さらに、図３に示すように、照明体収納部６４ａには、挿入穴６４ｂの挿入方向に沿ってスリット６４ｃが照明体収納部６４ａの突設部全体を横切って設けられている。
【００３５】
図４および図５に示すように、照明体組立部６０を構成するライトカバー（照明体保護部材）６１は係合部（突出部）６１ｃを有し、その係合部６１ｃは、照明体組立部６０本体が照明体収納部６４ａの挿入穴６４ｂに挿入される時、同時にスリット６４ｃ内に係合または摺動する。係合部６１ｃの後方先端部には係止部（フック凸部）６１ｆが形成され、ライトカバー６１が照明体収納部６４ａの挿入穴６４ｂに完全に挿入されると、図７に示されるように、係合部６１ｃの後方先端部に形成された係止部６１ｆが、照明体収納部６４ａの後方壁部６４ｆに係止され、ライトカバー６１は照明体収納部６４ａ内に固定できる。
【００３６】
図５の（ａ）および（ｂ）に示すように，ライトカバー６１は、半割カバー６１ａ（図５の（ａ）参照）と半割カバー６１ｂ（図５の（ｂ）参照）を合体して形成される。図５の（ｂ）に略式的に示すように、ライト６２は、予め半割カバー６１ｂのライト挿入穴（凹部）６１ｅに設置され、リード線６３はリード線引出し穴６１ｄより引出しておく。この状態で半割カバー６１ａを重ねて、照明体収納部６４ａの挿入穴６４ｂに挿入できる。このとき、ライト６２の光軸、すなわちライト挿入穴６１ｅの中心軸Ｂは、ライトカバー６１の中心軸Ａに対して所定の角度θａに調整されている。
【００３７】
図６および図７に示すように、ライト６２と、ライト６２のリード線６３と、ライト６２を包むライトカバー６１とから構成された照明体組立部６０は、照明体収納部６４ａの挿入穴６４ｂに次の手順で挿入される。
【００３８】
最初に、図６に示すように、照明体組立部６０のリード線６３を、照明体収納部６４ａのスリット６４ｃ内に挿入し、照明体収納部６４ａの後方より引き出す。
【００３９】
次に、図７に示すように、照明体組立部６０本体を照明体収納部６４ａの挿入穴６４ｂに挿入する。このとき、照明体組立部６０の係合部６１ｃは照明体収納部６４ａのスリット６４ｃ内に摺動されるので、ライトカバー６１が照明体収納部６４ａの挿入穴６４ｂに完全に挿入されると、係合部６１ｃの後方先端部に形成された係止部６１ｆが、照明体収納部６４ａの後方壁部６４ｆに係止される。これにより、係止部６１ｆは第１の抜け止め部材として機能する。また、係合部６１ｃはスリット６４ｃによって位置決めされるので、照明体組立部６０は照明体収納部６４ａに対し所定の位置関係で収納することができる。
【００４０】
照明体組立部６０本体を照明体収納部６４ａの挿入穴６４ｂに挿入した後、ゴム等の弾性材料から成る保護カバー（プロテクタ）５９をハンマケース部６４に嵌着させる。特に保護カバー５９は、ハンマケース部６４の照明体収納部６４ａに嵌合させ、かつ照明体収納部６４ａの挿入穴６４ｂの開口径Ｄ１より小さい径Ｄ２の窓（孔）を持たせることにより、ライト６２を挿入穴６４ｂ内により安全に保持できる。保護カバー５９を取り付け後に、保護カバー５９が外れないようにフロントキャップ６５を取付ける。これにより、保護カバー５９およびフロントキャップ６５は、照明体組立部６０に対する第２の抜け止め部材として機能する。
【００４１】
以上の構成により、照明体組立部６０を照明体収納部６４ａの挿入穴６４ｂに挿入する際の位置決めができ、かつ定められたライト照射角度を得ることができる。さらに、ライトカバー６１には、係止部６１ｆが設けられており、図７に示すように、ハンマケース部６４の照明体収納部６４ａと係止し、照明体組立部６０が挿入穴６４ｂより右側へ抜け落ちることを防止できる。
【００４２】
また、ハンマケース部６４の照明体収納部６４ａにライト６２を配設することができ、かつ回転中心軸および本体先端に照明体組立部６０を近づけることができるので、照射範囲をより広げることができる。さらに、ライトカバー６１を弾性体とすることにより、工具本体の振動およびハンマケース部の熱の影響を軽減することができる。また、保護カバー５９を弾性材料によって構成することにより、電動工具の工作物への衝突等による予期せぬ衝撃を吸収し、照明体収納部６４ａまたは照明体組立部６０の損傷を防止することができる。
【００４３】
さらに、本発明に従う照明体組立部６０は、ハンマケース部６４の照明体収納部６４ａと係合部６１ｃにより固定されるため、ネジ止めの必要がなく、照明体組立部６０の係止部６１ｆを照明体収納部６４ａより外すことにより照明体組立部６０をハンマケース部６４から容易に取り外すこともできる。従って、ライト６２の交換が容易となる。なお、ＬＥＤ等のライト６２の配線はプラグおよびソケットを用いた接続方式とすることにより、電気部品の接続または着脱をより簡単にすることができる。
【００４４】
以上、本発明者によってなされた発明を実施の形態に基づき具体的に説明したが、本発明は上記実施の形態に限定されるものではなく、その要旨を逸脱しない範囲内で種々の変更が可能である。
【図面の簡単な説明】
【００４５】
【図１】本発明の実施態様に係るインパクトドライバの部分断面図。
【図２】図１に示したインパクトドライバのハンマケース部の正面断面図。
【図３】図１に示したインパクトドライバのハンマケース部の正面全体図。
【図４】図１に示したインパクトドライバのライトカバーの全体図で（ａ）は左側面図、（ｂ）は正面図、（ｃ）は右側面図。
【図５】図１に示したインパクトドライバのライトカバーの断面図
【図６】図１に示したインパクトドライバにおける照明体組立部の装着手順を示す正面図。
【図７】図１に示したインパクトドライバにおける照明体組立部の装着手順を示す正面図。
【符号の説明】
【００４６】
５１：電動工具（インパクトドライバ）      ５２：胴体ハウジング部
５３：ハンドルハウジング部      ５４：モータ      ５５：トリガスイッチ
５６：減速機構部      ５６ａ：ピニオン      ５６ｂ：遊星ギア      
５７：打撃機構部      ５７ａ：スピンドル      ５７ｂ：コイルバネ
５７ｃ：ハンマ      ５８：アンビル      ５９：保護カバー（プロテクタ）
６０：照明体組立部      ６１：ライトカバー      ６１ａ：半割りカバー
６１ｂ：半割りカバー      ６１ｃ：係合部      ６１ｄ：リード線引出し穴
６１ｅ：ライト挿入穴      ６１ｆ：係止部      ６２：ライト（照明素子）
６３：リード線      ６４：ハンマケース部      ６４ａ：照明体収納部
６４ｂ：挿入穴      ６４ｃ：スリット      ６４ｆ：後方壁部
６５：フロントキャップ      ６６：先端工具保持部
【図１】
2008030126.tif 000003
【図２】
2008030126.tif 000004
【図３】
2008030126.tif 000005
【図４】
2008030126.tif 000006
【図５】
2008030126.tif 000007
【図６】
2008030126.tif 000008
【図７】
2008030126.tif 000009